(57)【要約】      （修正有）【課題】車のフロントガラスの霜除けに使用され、安価で、かつ、取り付けが簡単なフロントガラス用霜除けマットを提供する。【解決手段】車のフロントガラスの略半分の広さの防水シート２の片面の周囲に着脱可能な両面テープ３を固定し、着脱可能な両面テープ３の片面を車のフロントガラスに貼り付け、霜除けに使用するフロントガラス用霜除けマット１である。【選択図】図１
0003191357.tif 000002
【実用新案登録請求の範囲】
【請求項１】
車のフロントガラスの略半分の広さの防水シートの片面の周囲に着脱可能な両面テープを固定し、着脱可能な両面テープの片面を車のフロントガラスに貼り付け、霜除けに使用するフロントガラス用霜除けマット。
【請求項２】
防水シートの片面の周囲に着脱可能な両面テープを縫い付けた請求項１のフロントガラス用霜除けマット。
【請求項３】
防水シートとして断熱材入り防水シートを用いる請求項１又は請求項２のいずれかのフロントガラス用霜除けマット。
【考案の詳細な説明】
【技術分野】
【０００１】
本考案は、自動車のフロントガラスに取り付ける霜除け用のマットに関するものである。
【背景技術】
【０００２】
本考案者が居住する東海地方は、比較的温暖な気候であるが、冬期には、霜が降りる。霜は、空気と接触している物体の表面の温度が霜点よりも低くなると、空気中の水蒸気が昇華し、物体の表面に微細な結晶構造を持つ氷が成長する着氷現象の一種であるが、霜が発生することを「霜が降りる」、「霜が降る」と表現することがある。
屋外駐車した車のフロントガラスに霜が降りていると、お湯を掛けたりして霜を除去するが、朝の出勤時にはこの時間が惜しい場合もすくなくない。本考案者は、簡単な操作で、車のフロントガラスに降りる霜を除けるものはないか思案していたが、市販のアルミ製のレジャーマットを正面のフロントガラスの大きさに裁断し、その片面に着脱可能な両面テープを付け、これをフロントガラスに取り付けることにより容易に霜除けができることを見出した。
【０００３】
車のフロントガラス用の霜除けシートあるいはマットの先行技術としては、以下のようなものが見出される。
【０００４】
磁器製の筒に専用のシートを巻きつけたものを、マグネットの土台に設け、土台と筒の間に一枚のプラスチック板を設け、使用時にシートがフロントガラスと接着する仕組みとし、シートの先端にはマグネットが設けてあり、車体に容易に取り付けることができる日よけ兼霜よけシート(特許文献１)、自動車の屋根、フロント、リヤ、サイドガラスを覆うカバー裏面に裏ヒダとサイドガラスカバー先端部分にヒダを設け、屋根、フロント、リヤ、サイドガラスを確実に覆い、かつカバーの着脱が簡単で製造コストも安く、そして折りたたんでコンパクトに収納可能な日除け兼凍結防止カバー(特許文献２)、密着シートが台形状の透明なシート本体と、このシート本体の裏面の外周の全周に固着している帯状の吸着シートとからなり、吸着シートは自動車のフロントガラス側に対向する側が複数の極小の凹部を形成している吸盤層を有しており、シート本体は吸着シートの吸盤層を介してフロントガラスに密着可能であり、簡単かつ確実に取り付けることができると共に、製造が容易である霜除けなどに用いる密着シート (特許文献３)、伸縮性生地を用いてフロントガラスカバーを形成し、その周縁に吸着手段と、左右のドアミラーに引っ掛け被せるドアミラー袋を設け、冬の霜付きは左右のドアミラーにも及ぶので、該ミラーの霜除けも兼ねたフロントガラスカバー(特許文献４)、横長のシート本体を有し、このシート本体の長手方向中央部の上辺近傍にフロントガラスの中央上部への保定手段を設け、且つ、前記シート本体の長手方向の両端部にそれぞれ少なくとも一つのフロントガラス又はボディーへの止着手段を設けてフロントガラス霜除けシートを構成し、自動車のフロントガラスへの着脱を一人でも容易かつ迅速に行い得るフロントガラス霜除けシート(特許文献５)等がある。
【０００５】
前述各先行技術において、特許文献１では、磁器製の筒に専用のシートを巻きつけ、シートの先端にはマグネットが設けてあり、構造が簡単ではなく生産コストも割高になると思われる。特許文献２では、自動車の屋根、フロント、リヤ、サイドガラスを覆うカバー裏面に裏ヒダとサイドガラスカバー先端部分にヒダが付けられ、車にこれを取り付けるのに手間がかかると思われる。特許文献３では、シート本体は吸着シートの吸盤層を介してフロントガラスに密着可能とあり、吸盤層をフロントガラスに吸着させる手間が必要と思われる。また、特許文献４及び５ではフロントガラスカバーが長く、取付け操作及び収納をどうするかが問題となる。
【先行技術文献】
【特許文献】
【０００６】
【特許文献１】特許公開２０１３−１４１９７５号公報
【特許文献２】特許公開２０１１-２５９０５号公報
【特許文献３】特許公開２００８-１８９１０８号公報
【特許文献４】特許公開２００６-２９８３４１号公報
【特許文献５】特許公開Ｈ１１−３４６７３号公報
【０００７】
本考案者は、上記各特許文献と比較し、より安価で、より簡単に取り付けが可能なフロントガラス用霜除けマットを提供するものである。
【考案の概要】
【考案が解決しようとする課題】
【０００８】
解決しようとする問題点は、車のフロントガラスの霜除けに使用するため、安価で、かつ、取り付けが簡単冶具を提供することである。
【課題を解決するための手段】
【０００９】
すなわち、第１考案は、車のフロントガラスの略半分の広さの防水シートの片面の周囲に着脱可能な両面テープを固定し、着脱可能な両面テープの片面を車のフロントガラスに貼り付け、霜除けに使用するフロントガラス用霜除けマットである。
【００１０】
車のフロントガラスの略半分の広さとしたのは、運転者の視野の範囲での霜除けを目的とし、フロントガラスに貼り付けるときの操作及びこれを使用しないときの収納を考慮し、できるだけ面積を少なくするためである。助手席にも必要な場合には、このフロントガラス用霜除けマットを助手席側のフロントガラスにも貼り付ければよい。
【００１１】
防水シートは各種類のものがネット上でも市販されている。防水シートは、水分や空気中の水蒸気を透過させないことが条件である。この防水シートは、ある程度の厚みがあり、柔軟性はあるが、一定の形状を維持できるものが望ましい。例えば、夏期フロントガラスにアルミ箔を利用した日除けマットが使用されていることを見かけるが、こうしたマットを防水シートとして使用することもできる。
【００１２】
接着剤と同じように使用される両面テープではなく、ここでは着脱可能な両面テープであり、フロントガラスに繰り返し、貼り付けたりはがしたりすることができる両面テープであり、各種のものが市販されている。
【００１３】
防水シートの片面の周囲に着脱可能な両面テープを固定し、としたのは、防水シートの片面の周囲全体に隙間なく両面テープを固定する場合と、はがすときのため角部等には着脱可能な両面テープが貼られない場合とがあることを意味するものである。着脱可能な両面テープの片面は、防水シートに貼り付いて固定され、他の面は、霜除けの使用時にはフロントガラスに貼り付けられる。
【００１４】
続いて、第２考案は、防水シートの片面の周囲に着脱可能な両面テープを縫い付けた第１考案のフロントガラス用霜除けマットである。
【００１５】
着脱可能な両面テープを使用しているため、フロントガラス用霜除けマットを着脱可能な両面テープからはがすときに、着脱可能な両面テープがフロントガラスとはがれず、防止シートとはがれてしまう場合もある。こうしたことを避けるため、防止シートと着脱可能な両面テープとは確実に接合し、固定しておく必要がある。そこで、防止シートと着脱可能な両面テープとを縫い付けるものである。
【００１６】
続いて、第３考案は、防水シートとして断熱材入り防水シートを用いる第１考案又は第２考案のいずれかのフロントガラス用霜除けマットである。
【００１７】
前述のように、霜は空気中の水蒸気の着氷現象の一種である。そのためフロントガラスと防水シート間の温度ができるだけ零度以上に維持することが望まれる。そこで、断熱性のある防水シートを使用することが望まれる。
【考案の効果】
【００１８】
第１考案のフロントガラス用霜除けマットは、構造も簡単であり、安価であることから、手軽にフロントガラスの霜除けとして利用できる。第２考案では、フロントガラス用霜除けマットの操作を容易にするものであり、第３考案では、霜除けの効果を上げるものである。
【図面の簡単な説明】
【００１９】
【図１】図１は、フロントガラス用霜除けマットの概略図である。
【図２】図２は、フロントガラス用霜除けマットの試作品の図である。
【図３】図３は、フロントガラス用霜除けマットの使用状態の図である。
【考案を実施するための形態】
【００２０】
本考案の実施例を以下に示す。
【実施例１】
【００２１】
図１は、フロントガラス用霜除けマット１の概略図である。フロントガラス用霜除けマット１は、車のフロントガラスの略半分の広さの防水シート２の片面の周囲に着脱可能な両面テープ３を縫い糸３１で固定したものである。図１では、着脱可能な両面テープ３のある面を底面とし、底面図と側面図を示す。
【実施例２】
【００２２】
図２はフロントガラス用霜除けマット１の試作品の図である。表面と裏面が示されている。裏面とは、フロントガラス４に貼り付ける面であり、着脱可能な両面テープが固定されている。本試作品では、着脱可能な両面テープ３は、防水シート２の上下の辺近くに固定され、左右の辺には固定されていないが、左右の辺にも固定することが望ましい。防水シート２とフロントガラス４の間に空気中の水蒸気が侵入したり、風により飛ばされる可能性もあるためである。図３は、フロントガラス用霜除けマット１の車外正面から見た使用状態の図である。なお、この試作品では、図示できないがアルミ製防水シートの間に断熱材が入っている。
【産業上の利用可能性】
【００２３】
構造が簡単であり、安価に製造でき操作もらくであるため、需要が期待できる。
【符号の説明】
【００２４】
１  フロントガラス用霜除けマット
２  防水シート  
３  着脱可能な両面テープ  ３１  縫い糸
４  フロントガラス    
【図１】
0003191357.tif 000003
【図２】
0003191357.tif 000004
【図３】
0003191357.tif 000005